(57)【要約】  【課題】少なくとも二つの使用端を有する天板付き家具上で用いるシェルフにおいて、各使用者の占有区域が明確でないことによるトラブルの発生を抑制する。  【解決手段】両使用端１１ａ間に配されるシェルフベース４と、このシェルフベース４における前記使用端１１ａの一方に対応する側に設けられた第１の棚板５と、前記シェルフベース４における前記使用端１１ａの他方に対応する側に設けられた第２の棚板６と、これら第１、第２の棚板５、６間に位置させて前記シェルフベース５上に形成された物品を配置可能な機能領域７とを具備してなる構成のシェルフ２を採用する。【選択図】図２
2018057740.tif 000002
【特許請求の範囲】
【請求項１】
少なくとも二つの使用端を有する天板付き家具上で用いることができるシェルフであって、
前記両使用端間に配されるシェルフベースと、このシェルフベースにおける前記使用端の一方に対応する側に設けられた第１の棚板と、前記シェルフベースにおける前記使用端の他方に対応する側に設けられた第２の棚板と、これら第１、第２の棚板間に位置させて前記シェルフベース上に形成された物品を配置可能な機能領域とを具備してなるシェルフ。
【請求項２】
前記シェルフベースが、下方に開放された中空体状のものである請求項１記載のシェルフ。
【請求項３】
前記シェルフベースが、前記棚板が載設される対をなす棚板支持板部を有しこれら棚板支持板部の内縁間に溝部を備えてなる上壁と、この上壁における前記棚板支持板部の外縁から下方に垂下する前後の面壁と、これら面壁の端部間を塞ぐ左右の端壁とを備えたものである請求項１又は２記載のシェルフ。
【請求項４】
前記機能領域が、前記シェルフベースの溝部内面及び前記両棚板の対向する端面を利用して形成された凹溝状のものである請求項３記載のシェルフ。
【請求項５】
前記機能領域が、あり溝状のものである請求項４記載のシェルフ。
【請求項６】
前記機能領域に、扁平な物品を起立状態で保持するための保持具が設けられている請求項４又は５記載のシェルフ。
【請求項７】
前記シェルフベースが、前記使用端に対応する対をなす面壁を備えたものであり、
前記各面壁に電源コンセントがそれぞれ設けられており、前記シェルフベースの内部に前記電源コンセントに接続された配線を収容するためのダクト空間が形成されている請求項１、２、３、４、５又は６記載のシェルフ。
【請求項８】
前記各面壁に、それぞれが一対のプラグ孔を有する第１、第２の電源コンセントが隣設されており、第１の電源コンセントは、一対のプラグ孔が上下に並ぶように配置されているとともに、第２の電源コンセントは、一対のプラグ孔が左右に並ぶように配置されている請求項７記載のシェルフ。
【請求項９】
対をなす使用端間に配線挿通窓を有する天板を具備してなる家具本体と、この家具本体の前記配線挿通窓を覆いうる天板上の位置に配された請求項１、２、３、４、５、６、７又は８記載のシェルフと、このシェルフを前記天板上に固定するシェルフ支持体とを具備してなり、前記シェルフ支持体が前記配線挿通窓を利用して前記天板に止着された一体構造品である天板付家具。
【発明の詳細な説明】
【技術分野】
【０００１】
本発明は、少なくとも二つの使用端を有する天板付き家具上で使用することができるシェルフ、及びこのようなシェルフを具備する天板付家具に関するものである。
【背景技術】
【０００２】
２つの使用端を有する天板付き家具として、例えば、２台の執務用デスクを対面配置したものや、１枚の天板の２辺を使用端としたテーブル状のデスクなどが知られている。このような天板付き家具には、両使用端の中間位置に対面する両使用者がアクセス可能なシェルフが設けられる場合がある。
【０００３】
ところで、従来のシェルフは、家具本体に立設された柱上に棚板を設けておき、その棚板を両使用端側から共有することができるようになっている（例えば、特許文献１を参照）。
【０００４】
ところが、このようなものであると、各使用者の占有区域が明確でないためにトラブルの原因になるという点が懸念される（第１の課題）。
【０００５】
また、このようなものでは、本や雑誌、或いは間仕切りパネル等、種々の物品を起立状態で載置することが難しいという不便さもある（第２の課題）。
【０００６】
さらに、従来のものシェルフは、電源コンセントを備えていないため、天板上でパーソナルコンピュータ等の機器類を使用することが想定される家具においては、家具本体に電源コンセントや配線ダクト等を前記シェルフと干渉しないようの設けておく必要があり、構図が複雑化するきらいがある（第３の課題）。
【先行技術文献】
【特許文献】
【０００７】
【特許文献１】特開２００１−２３８７３６号公報
【発明の概要】
【発明が解決しようとする課題】
【０００８】
本発明（請求項１記載の発明）は、少なくとも前述した第１の課題を解消することを目的としている。
【課題を解決するための手段】
【０００９】
請求項１記載のシェルフは、少なくとも二つの使用端を有する天板付き家具上で用いることができるシェルフであって、前記両使用端間に配されるシェルフベースと、このシェルフベースにおける前記使用端の一方に対応する側に設けられた第１の棚板と、前記シェルフベースにおける前記使用端の他方に対応する側に設けられた第２の棚板と、これら第１、第２の棚板間に位置させて前記シェルフベース上に形成された物品を配置可能な機能領域とを具備してなる。
【００１０】
請求項２記載のシェルフは、請求項１に係る構成において、前記シェルフベースが、下方に開放された中空体状のものである。
【００１１】
請求項３記載のシェルフは、請求項１又は２に係る構成において、前記シェルフベースが、前記棚板が載設される対をなす棚板支持板部を有しこれら棚板支持板部の内縁間に溝部を備えてなる上壁と、この上壁における前記棚板支持板部の外縁から下方に垂下する前後の面壁と、これら面壁の端部間を塞ぐ左右の端壁とを備えたものである。
【００１２】
請求項４記載のシェルフは、請求項３に係る構成において、前記機能領域が、前記シェルフベースの溝部内面及び前記両棚板の対向する端面を利用して形成された凹溝状のものである。
【００１３】
請求項５記載のシェルフは、請求項４に係る構成において、前記機能領域が、あり溝状のものである。
【００１４】
請求項６記載のシェルフは、請求項４又は５に係る構成において、前記機能領域に、扁平な物品を起立状態で保持するための保持具が設けられている。
【００１５】
請求項７記載のシェルフは、請求項１、２、３、４、５又は６に係る構成において、前記シェルフベースが、前記使用端に対応する対をなす面壁を備えたものであり、前記各面壁に電源コンセントがそれぞれ設けられており、前記シェルフベースの内部に前記電源コンセントに接続された配線を収容するためのダクト空間が形成されている。
【００１６】
請求項８記載のシェルフは、請求項７に係る構成において、前記各面壁に、それぞれが一対のプラグ孔を有する第１、第２の電源コンセントが隣設されており、第１の電源コンセントは、一対のプラグ孔が上下に並ぶように配置されているとともに、第２の電源コンセントは、一対のプラグ孔が左右に並ぶように配置されている。
【００１７】
請求項９記載の天板付家具は、対をなす使用端間に配線挿通窓を有する天板を具備してなる家具本体と、この家具本体の前記配線挿通窓を覆いうる天板上の位置に配された請求項１、２、３、４、５、６、７又は８記載のシェルフと、このシェルフを前記天板上に固定するシェルフ支持体とを具備してなり、前記シェルフ支持体が前記配線挿通窓を利用して前記天板に止着された一体構造品である。
【００１８】
なお、本発明において、「あり溝状」とは、上端開口幅よりも底側の幅のほうが大きくなる凹溝形状全般を示す概念である。
【発明の効果】
【００１９】
本発明によれば、各使用者の占有区域が明確でないことによるトラブルの発生を抑制することができる。
【図面の簡単な説明】
【００２０】
【図１】本発明の一実施形態に係る天板付家具を示す正面図。
【図２】同実施形態に係る天板付家具を示す平面図。
【図３】同実施形態に係る天板付家具を示す斜視図。
【図４】同実施形態に係る天板付家具を示す斜視図。
【図５】同実施形態に係る天板付家具を示す分解斜視図。
【図６】同実施形態に係るシェルフを示す正面図。
【図７】同実施形態に係るシェルフを示す底面図。
【図８】図６におけるＡ−Ａ線に沿った拡大断面図。
【図９】図６におけるＢ−Ｂ線に沿った拡大断面図。
【図１０】本発明の他の実施態様に係る天板付家具を示す平面図。
【図１１】本発明の他の実施態様に係る天板付家具を示す平面図。
【図１２】本発明の他の実施態様に係る天板付家具を示す平面図。
【発明を実施するための形態】
【００２１】
本発明の一実施形態を、図１〜図９を参照しつつ以下に述べる。
【００２２】
本実施形態は、対をなす使用端１１ａ間に配線挿通窓１１ｂを有する天板１１を具備してなる家具本体１と、この家具本体１の前記配線挿通窓１１ｂを覆いうる天板１１上の位置に配されたシェルフ２と、このシェルフ２を前記天板上１１に固定するシェルフ支持体３とを具備してなる天板付家具Ｔである。以下、この天板付家具Ｔについて詳細に説明する。
【００２３】
ここで、図１は、天板付家具Ｔを示す部分的な正面図である。図２は、同平面図である。図３は、天板付家具Ｔを上方から示す斜視図である。図４は、天板付家具Ｔを下方から示す斜視図であり、家具本体１の後述する脚体１２の一部を破断しているとともに、家具本体１の後述する配線受け１３を想像線で示している。図５は、天板付家具Ｔを示す分解斜視図である。図６は、シェルフを示す正面図である。図７は、同底面図である。図８は、図６におけるＡ−Ａ線に沿った拡大断面図である。図９は、図６におけるＢ−Ｂ線に沿った拡大断面図である。図８及び図９では、家具本体１の天板１１を想像線で示している。
【００２４】
前記家具本体１は、図１〜図５に示すように、平面視四角形状をなす前記天板１１と、この天板１１の角部を下面側から支持する脚体１２とを備えたもので、前記天板１１の中央には前記配線挿通窓１１ｂを設けてある。前記天板１１は、例えば一辺を１２００ｍｍに設定された平面視正方形状のものであり、対向する前後の２辺を使用端１１ａとしている。前記配線挿通窓１１ｂは、前記両使用端１１ａから等距離にある天板１１の中央部分に形成された平面視四角形状のものであり、この配線挿通窓１１ｂの下方には配線受け１３が配されている。この配線受け１３は、左右方向に開放されたチャンネル状のもので、前後両端部が前記配線挿通窓１ｂの前後の縁に対応する下側開口端面に止着されている。
【００２５】
前記シェルフ２は、図１〜図９に示すように、前記天板１１の両使用端１１ａ間に配されるシェルフベース４と、このシェルフベース４における前記使用端１１ａの一方に対応する側に設けられた第１の棚板５と、前記シェルフベースにおける前記使用端１１ａの他方に対応する側に設けられた第２の棚板６と、これら第１、第２の棚板５、６間に位置させて前記シェルフベース４上に形成された物品を配置可能な機能領域７とを具備してなる。
【００２６】
前記シェルフベース４は、図２、図３及び図５〜図９に示すように、下方に開放された中空体状のもので、前記棚板５、６が載設される対をなす棚板支持板部４１１を有しこれら棚板支持板部４１１の内縁４１１ａ間に溝部４１２を備えてなる上壁４１と、この上壁４１における前記棚板支持板部４１１の外縁４１１ｂから下方に垂下し両使用端１１ａにそれぞれ対応する前後の面壁４２と、これら面壁４２の端部間を塞ぐ左右の端壁４３とを備えたものである。
【００２７】
詳述すれば、前記上壁４１は、図７〜図９に示すように、前記棚板５、６の下面５ａ、６ａを支持する対をなす平坦な棚板支持板部４１１と、これら棚板支持板部４１１間に設けられた上方に開口する前記溝部４１２とを備えたもので、共通の板金素材により一体に形成されている。この上壁４１の各棚板支持板部４１１には、棚板５、６を取り付けるための複数のねじ挿通孔４１１ｘが長手方向すなわち左右方向に間隔を空けて形成されているとともに、前記溝部４１２の底板には、複数対の保持具取付孔４１２ｘが長手方向すなわち左右方向に間隔を空けて形成されている。そして、前記溝部４１２の底板４１２ａにおける前記保持具取付孔４１２ｘに対応する部位には、後述する保持具７１の下端部を支持するための支持ブラケット４４が設けられている。
【００２８】
前記面壁４２は、図７〜図９に示すように、前記上壁４１と一体に設けられた板金製のもので、下縁に内側に折り返されたフランジ部４２１を有している。このフランジ部４２１の下面には、弾性変形可能な遮光シート４２２が添設されている。また、これら各面壁４２における使用者から見て左側の端部近傍には、それぞれが一対のプラグ孔を有する第１、第２の電源コンセント４５、４６が隣設されている。第１の電源コンセント４５は、一対のプラグ孔が上下に並ぶように配置されているとともに、第２の電源コンセント４６は、一対のプラグ孔が左右に並ぶように配置されている。一方、このシェルフベース４の内部すなわち前記両面壁４２の内面４２ａ、４２ａ間には、前記電源コンセント４５、４６に接続された配線Ｃを収容するためのダクト空間４ｓが形成されている。このダクト空間４ｓに配された配線Ｃは、前記天板１１の配線挿通窓１１ｂを通して前記配線受け１３上に導かれ、図示しないコネクタを介して電源に接続されている。
【００２９】
前記端壁４３は、図７〜図９に示すように、上縁を前記上壁４１の棚板支持板部４１１の上面に合致させた状態で前後の面壁４２の端縁間を閉塞するもので、その下縁には内側に折り返されたフランジ部４３１を有している。このフランジ部４３１の下面には、弾性変形可能な遮光シート４３２が添設されている。また、この端壁４３の前後方向中央部における上縁には、内方に延出して下方に屈曲する化粧用フランジ４３３が形成されている。
【００３０】
前記第１及び第２の棚板５、６は、図１〜図３及び図５〜図９に示すように、前記シェルフベース４の上壁４１における棚板支持板部４１１よりも若干幅寸法が大きな平面視長方形状をなすもので、前記シェルフベース４の上壁４１のねじ挿通孔４１１ｘに対応する部位に、図示しない埋め込みナットが埋設されている。すなわち、これらの棚板５、６は、前記上壁４１の下面側から前記ねじ挿通孔４１１ｘを通して前記ナットにねじＢｘ、Ｂｙを螺着することにより前記シェルフベース４に固定されている。なお、中央部に位置するねじＢｙは、後述するシェルフ支持体３と前記上壁４１とを前記棚板５、６に共締めする役割を担っている。また、これら第１及び第２の棚板５、６の外縁５ａ、６ａは、前記面壁４２の外面よりも外方に達している。
【００３１】
前記機能領域７は、図２、図３、図５、図８及び図９に示すように、前記シェルフベース４の溝部４１２の内面４１２ｂ及び前記両棚板５、６の対向する端面５ｂ、６ｂを利用して形成された凹溝状のものである。すなわち、この機能領域７は、家具本体１の天板１１を一方の使用領域側と他方の使用領域側と区成し得る位置、換言すれば当該シェルフ２の第１の棚板５と第２の棚板６とを区画しうる位置に形成されたもので、前記上壁４１の溝部４１２の底板４１２ａを底とする凹溝状をなしている。なお、前記第１、第２の棚板５、６の各内縁（前記対向する端面５ｂ、６ｂ）は前記上壁４１の溝部４１２上にオーバーハングした状態で配置されているため、この機能領域７は上端開口幅よりも底側の幅のほうが大きくなる凹溝形状、すなわちあり溝状をなしている。そして、この機能領域７には、扁平な物品を起立状態で保持するための保持具７１が設けられている。この保持具７１は、前後方向に一定の間隔を空けて配置された門型をなす一対の倒れ止めバー７１１からなるもので、この実施形態においては、かかる保持具７１が３組長手方向に間欠配置されている。各倒れ止めバー７１１は、その基端部を、前記溝部４１２の底板４１２ａにおける前記保持具取付孔４１２ｘに貫装されており、その貫通端を前記支持ブラケット７２に支持させている。前記支持ブラケット７２は、上端部を前記上壁４１の溝部４１２の底板４１２ａの下面に止着したもので、前記倒れ止めバー７１１の下端を下側から支持する第１の横架板７２１と、この第１の横架板７２１よりも上側に設けられ、前記倒れ止めバー７１１の下端近傍部を支持する第２の横架板７２２とを備えている。この機能領域７には、前記保持具７１を利用して扁平な物品を起立状態で保持することができるようになっている。具体的には、デスクトップパネルとして機能するボードや、雑誌その他の書籍類や、タブレット等を前記保持具７１の倒れ止めバー７１１間或いは片方の倒れ止めバー７１１に立て掛けて起立状態で保持させておくことができる。なお、前記倒れ止めバー７１１間の離間寸法よりも薄いボード７３をがたつきなく配置したい場合には、例えば図３及び図８に示すように、前記ボード７３を起立状態で保持するための格別な脚体７４を前記機能領域７内に配しておき、この脚体７４に前記ボード７３を支持させるようにすることもできる。前記脚体７４は、ボードを挟持する脚体本体７４１と、この脚体本体７４１の下端に旋回可能に設けられた脚羽根７４２とを備えたもので、前記倒れ止めバー７１と干渉しないように前記機能領域７に配置することができる。
【００３２】
以上説明したシェルフは２、前記家具本体１の天板１１上に当該天板１１の配線挿通窓１１ｂを覆うように載置されたもので、前記シェルフ支持体３を介して前記天板１１に固定されている。
【００３３】
前記シェルフ支持体３は、前記配線挿通窓１１ｂを利用して前記天板１１に止着された板金製の一体構造品である。詳述すれば、このシェルフ支持体３は、図４〜図９に示すように、前記シェルフ２内に収容され当該シェルフ２に固定される支持体本体３１と、この支持体本体３１の下端から前記天板１１の配線挿通窓１１ｂ内に延出するアーム部３２と、このアーム部３２の先端に設けられ前記配線挿通窓１１ｂの下側の開口端面すなわち天板１１の下面にねじ止めされる取付部３３とを備えたものである。
【００３４】
前記支持体本体３１は、前記シェルフベース４の上壁４１における溝部４１２の左右方向中間部分を下側から囲うようなチャンネル形状をなすもので、上端にねじ挿通孔３１１ａを有する取付フランジ３１１を備えている。前記取付フランジ３１１のねじ挿通孔３１１ａは、前記上壁４１に設けられた棚板取付用のねじ挿通孔４１１ｘの一部と合致するように構成されており、この取付フランジ３１１と前記上壁４１１ｘとを前記ねじＢｙにより棚板５、６に共締めすることにより当該支持体本体３１が前記シェルフベース４に取り付けられている。この支持体本体３１の左右方向寸法は、前記配線挿通窓１１ｂの左右方向の開口幅よりも小さく設定されており、前記配線挿通窓１１ｂの縁と前記支持体本体３１との間には前記シェルフ４の内部に形成されているダクト空間４ｓを前記天板１１の下側の空間に連通させるための隙間Ｓが形成されるように設定されている。支持体本体３１の下端部における左右両側縁には、前記アーム部３２が一体に設けられている。前記アーム部３２の先端に設けられた取付部３３にはねじ挿通孔３３ａが形成されており、このねじ挿通孔３３ａに挿通させたねじＢｚを天板１１の下面に埋設された図示しない埋め込みナットに螺着することにより当該シェルフ支持体３が前記天板１に固定されるようになっている。
【００３５】
以上に述べたように、本実施形態によれば、一方の使用端１１ａに着座した使用者が第１の棚板５、他方の使用端１１ａに着座した使用者が第２の棚板６を利用するようにできる、すなわち各使用者が占有する棚板５、６を明確にすることができるので、各使用者の占有区域が明確でないことによるトラブルの発生を抑制することができる。
【００３６】
また、前記シェルフベース４が、下方に開放された中空体状のものであるので、前記配線挿通窓１１ｂを有する天板１１を備えた家具本体１にこのシェルフベース４を取り付けた際に前記配線挿通窓１１ｂと前記シェルフベース４の内部の空間すなわち前記ダクト空間４ｓとが連通し、この空間内に配置した取付金具、より具体的には前記シェルフ支持体３を介してシェルフ２を天板本体１にしっかり固定することができる。
【００３７】
さらに、前記シェルフベース４が、前記棚板５、６が載設される対をなす棚板支持板部４１１を有しこれら棚板支持板部４１１の内縁間４１１ａに溝部４１２を備えてなる上壁４１と、この上壁４１における前記棚板支持板部４１１の外縁４１１ｂから下方に垂下する前後の面壁４２と、これら面壁４２の端部間を塞ぐ左右の端壁４３とを備えたものとすることにより、簡単な構成でこのシェルフベース４に棚板５、６を保持する機能を備えさせつつ前記溝部４１２を含む機能領域７を形成することができる。
【００３８】
その上、前記機能領域７が、前記シェルフベース４の溝部４１２の内面４１２ｂ及び前記両棚板５、６の対向する端面５ｂ、６ｂを利用して形成された凹溝状のものであるので、簡単な構成によりこの機能領域７を実現することができる。
【００３９】
特に、前記機能領域７が、上端開口幅よりも底側の幅のほうが大きくなる凹溝形状、すなわちあり溝状のものであるので、棚板５、６の面積を減らすことなく、この機能領域７の底面の面積を確保することができる。その結果、上述したボード７３を起立状態で保持するための脚体７４の脚羽根７４２を棚板５、６の下方に潜り込ませて配置する等、前記機能領域７内に種々の物品を種々の態様で配置することができる。
【００４０】
また、シェルフ２の機能領域７に配した保持具７１を利用して扁平な物品を起立状態で保持することができるので、棚板を共用する態様と比較して、多様な物品配置態様を採ることができ、使い勝手が向上する。
【００４１】
さらに、シェルフ２の面壁４２に電源コンセント４５、４６を設けているとともに、シェルフ４内部にダクト空間４ｓを有するので、電源コンセント４５、４６を自在に使うことができる上に天板１１上に配線類が乱雑に配されることを抑制することもできる。
【００４２】
加えて、各面壁４２における第１の電源コンセント４５は、一対のプラグ孔が上下に並ぶように配置されているとともに、第２の電源コンセント４６は、一対のプラグ孔が左右に並ぶように配置されているので、各種のプラグを相互に干渉しないように前記電源コンセント４５、４６に接続することを容易に実現できる。
【００４３】
そして、前記シェルフ４を配線挿通窓１１ｂの上に被せるように配置しているので、見栄えがよいだけでなく、配線挿通窓１１ｂとシェルフ４内部のダクト空間４ｓとの連携をうまくとることができる。
【００４４】
なお、本発明は以上に述べた実施形態に限らない。
【００４５】
例えば、以上説明した実施形態では、対面する二辺をそれぞれ使用端とした一枚物の天板を具備した天板付家具について説明したが、本発明の天板付家具は、それぞれ単一の使用端を有する天板要素を備えたデスク等を対面配置したようなものであってもよい。すなわち、本発明である天板とは、一枚物であっても、複数枚の天板要素からなるものであってもよい。
【００４６】
また、以上説明した実施形態では、平面視正方形状の天板上にシェルフを設けた場合について説明したが、天板は、図１０〜図１２に示すように、例えば長方形状のものであってもよい。また、シェルフは天板の一端から他端にいたる長手寸法を有するものだけでなく、より短いものであってもよい。短いものであっても、例えば図１１に示すように間隔を空けて複数のシェルフを配置する態様や、図１２に示すように複数のシェルフを密着させて配置する態様を採用してもよい。上記説明及び前記図１０〜図１２を参照しつつ説明した実施態様では、天板の形状及びシェルフの長手寸法以外同様の構成を有しているので、上述した実施形態におけるものに対応する部位には、同一の名称及び符号を付し、説明を省略する。
【００４７】
加えて、上述した実施形態では、シェルフベースを、下方に開放された中空体状のものとし、シェルフベース内部の空間と家具本体の天板の配線挿通窓とこのシェルフベース内部の空間とを連通させているが、配線挿通窓を有しない天板を備えた家具本体とともに用いる場合等においては、下方ではなく側方や上方に開放された中空体状のシェルフベースや、中実なシェルフベースを採用してももちろんよい。すなわち、中空体状のシェルフベースにおいては、上壁、前後の面壁及び左右の端壁のいずれかを省略してもよく、また、シェルフベースの下面を閉塞する底壁を設けてもよい。
【００４８】
一方、シェルフベースが上壁を有するシェルフにおいて、上壁の溝部を省略し、該シェルフベースに支持させた両棚板の対向する端面を利用して機能領域を形成してもよい。もちろん、上壁から起立し左右方向に伸びる起立壁を両棚板の対向する端面に近接させてそれぞれ設け、この起立壁の内面を利用して機能領域を形成してもよい。
【００４９】
さらに、機能領域に、扁平な物品を起立状態で保持するための保持具を設ける態様に代えて、配線挿通領域として機能領域を構成する態様等を採用してもよい。また、前記保持具を、門型をなす一対の倒れ止めバーを利用したものでなく、機能領域の奥行き方向中央から起立させて設けた起立板の板面にそれぞれ設けた平面視コ字状をなす倒れ止め部材を利用するもの等、種々のものを採用してよい。
【００５０】
また、機能領域の形状は、上述した実施形態では、前述したように、該機能領域内に種々の物品を種々の態様で配置することができるようにすべく、あり溝状としているが、上下寸法の全域にわたって開口幅が等しくなる形状や、上端開口幅よりも底側の幅のほうが小さくなる形状等を採用するようにしてもかまわない。
【００５１】
そして、シェルフの面壁の電源コンセントを省略する態様や、シェルフの面壁に電源コンセントを１つだけ、あるいは３つ以上設ける態様を採用してももちろんよい。各電源コンセントのプラグ孔の配置も、一対のプラグ孔が上下に並ぶもののみ配する態様や、一対のプラグ孔が左右に並ぶもののみ配する態様を採用してもよく、もちろん一対のプラグ孔が上下に並ぶ電源コンセント及び一対のプラグ孔が左右に並ぶ電源コンセントをそれぞれ１つ以上配する態様を採用してもよい。
【００５２】
加えて、シェルフの天板に対する取付態様も、任意のものを採用してもよい。
【００５３】
また、シェルフ支持体は、板金製のものに限らず、鋳物成型により一体に形成されているものであってもよい。
【００５４】
その他、本発明の趣旨を損ねない範囲で種々に変更してよい。
【符号の説明】
【００５５】
Ｔ…天板付家具
１…家具本体
１１…天板
１１ａ…使用端
１１ｂ…配線挿通窓
２…シェルフ
３…シェルフ支持体
４…シェルフベース
５…第１の棚板
６…第２の棚板
７…機能領域
【図１】
2018057740.tif 000003
【図２】
2018057740.tif 000004
【図３】
2018057740.tif 000005
【図４】
2018057740.tif 000006
【図５】
2018057740.tif 000007
【図６】
2018057740.tif 000008
【図７】
2018057740.tif 000009
【図８】
2018057740.tif 000010
【図９】
2018057740.tif 000011
【図１０】
2018057740.tif 000012
【図１１】
2018057740.tif 000013
【図１２】
2018057740.tif 000014